(57)【要約】      （修正有）【課題】変電自動化システム内のヒューマンマシンインターフェースを含む上位運営システムに対するＩＥＣ  ６１８５０基盤のレポート通信試験装置および方法。【解決手段】ネットワークを介して仮想の知能型電子装備と上位運営システムに連結されて上位運営システムに対するレポート通信を試験し、トラフィック分析器によって分析された上位運営システムと仮想の知能型電子装備間の通信データの分析結果を受信し、ＩＥＣ  ６１８５０標準に適合するかを検証する適合性検証部１０、仮想の知能型電子装備が上位運営システムの抽象的通信サービスインターフェースのサービス要請に応答したかを確認・分析する応答分析部２０、レポートがＩＥＣ  ６１８５０標準に適合するか、レポートを上位運営システムによるレポート制御ブロック設定要請に応じて送信したかを検証する送信検証部３０、上位運営システムのレポート性能を判断するレポート性能判断部４０を備える。【選択図】図３
2011041455.tif 000002
【特許請求の範囲】
【請求項１】
ネットワークを介して仮想の知能型電子装備と上位運営システムに連結されて前記上位運営システムに対するレポート通信を試験するためのレポート通信試験装置であって、
トラフィック分析器によって分析された前記上位運営システムと前記仮想の知能型電子装備間の通信データの分析結果を受信し、前記分析結果に基づいて前記仮想の知能型電子装備に対する前記上位運営システムのレポート制御ブロック設定要請がＩＥＣ  ６１８５０標準に適合するかを検証する適合性検証部；
前記仮想の知能型電子装備が前記上位運営システムのレポート制御ブロック設定要請を含む抽象的通信サービスインターフェース（ＡＣＳＩ）サービス要請に応答したかを確認および分析する応答分析部；
前記上位運営システムのレポート制御ブロック設定要請に対応して前記仮想の知能型電子装備によって発生したレポートがＩＥＣ  ６１８５０標準に適合するか、および前記発生したレポートを前記上位運営システムによる前記レポート制御ブロック設定要請に応じて送信したかを検証する送信検証部；および
試験者が視覚的判断を記録し、条件を総合的に分析できるようにして前記上位運営システムのレポート性能を判断するレポート性能判断部
を備えることを特徴とするレポート通信試験装置。
【請求項２】
前記仮想の知能型電子装備は、前記上位運営システムからのレポート制御ブロック設定要請に応答して前記レポートを発生させてＩＥＣ  ６１８５０抽象的通信サービスインターフェースに通信応答を実行し、前記レポート発生のためのデータ値を周期的に変化させることができるシミュレーション機能を含むことを特徴とする、請求項１に記載のレポート通信試験装置。
【請求項３】
前記レポートは非バッファ型レポートであり、前記送信検証部の前記非バッファ型レポート通信サービスに対する検証項目は、
上位運営システムが仮想の知能型電子装備が有している非バッファ型レポート制御ブロックリストを論理ノードディレクトリ取得サービスであるＧｅｔＬｏｇｉｃａｌＮｏｄｅＤｉｒｅｃｔｏｒｙ（）サービスによって要請する項目、
仮想の知能型電子装備の状態データ値とクォリティデータ値を変化させてレポートを発生させた後に上位運営システムがレポートを受信するかを確認する項目、
上位運営システムが仮想の知能型電子装備に非バッファ型レポート制御ブロック値設定サービスである非バッファ型レポート制御ブロック値設定サービスであるＳｅｔＵＲＣＢＶａｌｕｅｓ（）サービスを用いて選択フィールド（系列番号（ｓｅｑｕｅｎｃｅ−ｎｕｍｂｅｒ）、レポートタイムスタンプ（ｒｅｐｏｒｔ−ｔｉｍｅ−ｓｔａｍｐ）、含有理由（ｒｅａｓｏｎ−ｆｏｒ−ｉｎｃｌｕｓｉｏｎ）、データ集合名（ｄａｔａｓｅｔ−ｎａｍｅ）、データレファレンス（ｄａｔａｒｅｆｅｒｅｎｃｅ）、コンフレブ（ｃｏｎｆ−Ｒｅｖ））を要請する項目、
上位運営システムが仮想の知能型電子装備に非バッファ型レポート制御ブロック値設定サービスであるＳｅｔＵＲＣＢＶａｌｕｅｓ（）サービスを用いてトリガ条件（データ変換（ｄａｔａｃｈａｎｇｅ）、クォリティ変換（ｑｕａｌｉｔｙｃｈａｎｇｅ）、整合性（Ｉｎｔｅｇｒｉｔｙ））に対する多様な組み合わせを要請した後にレポートを確認する項目、
上位運営システムが仮想の知能型電子装備が送信するセグメントレポートを受信して画面に表示するかを確認する項目、
上位運営システムが仮想の知能型電子装備に非バッファ型レポート制御ブロック値設定サービスであるＳｅｔＵＲＣＢＶａｌｕｅｓ（）サービスを用いて前記仮想の知能型電子装備に一般質問（ＧＩ）レポートトリガを要請した後にレポートを確認する項目、
上位運営システムが仮想の知能型電子装備にない論理ノード（ＬＮ）に対して非バッファ型レポート制御ブロック値取得サービスであるＧｅｔＵＲＣＢＶａｌｕｅｓ（）サービス要請時に前記仮想の知能型電子装備の否定応答に対するイベント表示機能を実行する項目、
上位運営システムが仮想の知能型電子装備のレポートが設定された状態で前記仮想の知能型電子装備に選択フィールドとトリガ条件に対して非バッファ型レポート制御ブロック値設定サービスであるＳｅｔＵＲＣＢＶａｌｕｅｓ（）サービスを要請してサーバの否定応答に対するイベント表示機能を実行する項目、
上位運営システムが仮想の知能型電子装備が支援しないトリガ条件に対して非バッファ型レポート制御ブロック値設定サービスであるＳｅｔＵＲＣＢＶａｌｕｅｓ（）サービスを要請して前記仮想の知能型電子装備の否定応答に対するイベント表示機能を実行する項目、
上位運営システムが仮想の知能型電子装備にない選択フィールドに対して非バッファ型レポート制御ブロック値設定サービスであるＳｅｔＵＲＣＢＶａｌｕｅｓ（）サービスを要請して前記仮想の知能型電子装備の否定応答に対するイベント表示機能を実行する項目、
上位運営システムと仮想の知能型電子装備がデータセットが異なる場合にレポートを送信したときに上位運営システムの受信可否を確認する項目、および
上位運営システムが他の上位運営システムによって仮想の知能型電子装備の非バッファ型レポート制御ブロックが留保されたサーバに非バッファ型レポート制御ブロック値設定サービスであるＳｅｔＵＲＣＢＶａｌｕｅｓ（）サービスを要請して前記仮想の知能型電子装備の否定応答に対するイベント表示機能項目のうちの少なくとも１つの項目を含むことを特徴とする、請求項１に記載のレポート通信試験装置。
【請求項４】
前記レポートはバッファ型レポートを含み、前記送信検証部の前記バッファ型レポートの通信サービスに対する検証項目は、前記非バッファ型レポート通信サービスに対する検証項目に加え、
クライアントがサーバのレポート送信に対する再接続以後にアイディ入力要請によってサーバのバッファ型レポートを受信して画面に表示するかを確認する項目、および
クライアントがサーバのバッファ型データをバッファ除去値をトゥルーに設定して削除する要請する項目のうちの少なくとも１つの項目をさらに含むことを特徴とする、請求項３に記載のレポート通信試験装置。
【請求項５】
ネットワークを介して連結された仮想の知能型電子装備と上位運営システム間の通信において、前記上位運営システムに対するレポート通信を試験するためのレポート通信試験方法であって、
トラフィック分析器によって分析された前記上位運営システムと前記仮想の知能型電子装備間の通信データの分析結果に基づいて前記仮想の知能型電子装備に対する前記上位運営システムのレポート制御ブロック設定要請がＩＥＣ  ６１８５０標準に適合するかを検証する適合性検証ステップ；
前記仮想の知能型電子装備が前記上位運営システムのレポート制御ブロック設定要請を含むＡＣＳＩサービス要請に応答したかを確認および分析するステップ；
前記上位運営システムのレポート制御ブロック設定要請に対応して前記仮想の知能型電子装備によって発生したレポートがＩＥＣ  ６１８５０標準に適合するか、および前記発生したレポートを前記上位運営システムによる前記レポート制御ブロック設定要請に応じて送信したかを検証するステップ；および
試験者が視覚的判断を記録し、条件を総合的に分析できるようにして前記上位運営システムのレポート性能を判断するステップ
を含むことを特徴とするレポート通信試験方法。
【請求項６】
前記レポートは非バッファ型レポートであり、前記送信したかを検証するステップにおいて、前記非バッファ型レポート通信サービスに対する検証項目は、
上位運営システムが仮想の知能型電子装備が有している非バッファ型レポート制御ブロックリストを論理ノードディレクトリ取得サービスであるＧｅｔＬｏｇｉｃａｌＮｏｄｅＤｉｒｅｃｔｏｒｙ（）サービスによって要請する項目、
仮想の知能型電子装備の状態データ値とクォリティデータ値を変化させてレポートを発生させた後に上位運営システムがレポートを受信するかを確認する項目、
上位運営システムが仮想の知能型電子装備に非バッファ型レポート制御ブロック値設定サービスであるＳｅｔＵＲＣＢＶａｌｕｅｓ（）サービスを用いて選択フィールド（系列番号（ｓｅｑｕｅｎｃｅ−ｎｕｍｂｅｒ）、レポートタイムスタンプ（ｒｅｐｏｒｔ−ｔｉｍｅ−ｓｔａｍｐ）、含有理由（ｒｅａｓｏｎ−ｆｏｒ−ｉｎｃｌｕｓｉｏｎ）、データ集合名（ｄａｔａｓｅｔ−ｎａｍｅ）、データレファレンス（ｄａｔａｒｅｆｅｒｅｎｃｅ）、コンフレブ（ｃｏｎｆ−Ｒｅｖ））を要請する項目、
上位運営システムが仮想の知能型電子装備に非バッファ型レポート制御ブロック値設定サービスであるＳｅｔＵＲＣＢＶａｌｕｅｓ（）サービスを用いてトリガ条件（データ変換（ｄａｔａｃｈａｎｇｅ）、クォリティ変換（ｑｕａｌｉｔｙｃｈａｎｇｅ）、整合性（Ｉｎｔｅｇｒｉｔｙ））に対する多様な組み合わせを要請した後にレポートを確認する項目、
上位運営システムが仮想の知能型電子装備が送信するセグメントレポートを受信して画面に表示するかを確認する項目、
上位運営システムが仮想の知能型電子装備に非バッファ型レポート制御ブロック値設定サービスであるＳｅｔＵＲＣＢＶａｌｕｅｓ（）サービスを用いて仮想の知能型電子装備に一般質問（ＧＩ）レポートトリガを要請した後にレポートを確認する項目、
上位運営システムが仮想の知能型電子装備にない論理ノード（ＬＮ）に対して非バッファ型レポート制御ブロック値取得サービスであるＧｅｔＵＲＣＢＶａｌｕｅｓ（）サービス要請時に前記仮想の知能型電子装備の否定応答に対するイベント表示機能を実行する項目、
上位運営システムが仮想の知能型電子装備のレポートが設定された状態で前記仮想の知能型電子装備に選択フィールドとトリガ条件に対して非バッファ型レポート制御ブロック値設定サービスであるＳｅｔＵＲＣＢＶａｌｕｅｓ（）サービスを要請してサーバの否定応答に対するイベント表示機能を実行する項目、
上位運営システムが仮想の知能型電子装備が支援しないトリガ条件に対して非バッファ型レポート制御ブロック値設定サービスであるＳｅｔＵＲＣＢＶａｌｕｅｓ（）サービスを要請して前記仮想の知能型電子装備の否定応答に対するイベント表示機能を実行する項目、
上位運営システムが仮想の知能型電子装備にない選択フィールドに対して非バッファ型レポート制御ブロック値設定サービスであるＳｅｔＵＲＣＢＶａｌｕｅｓ（）サービスを要請して前記仮想の知能型電子装備の否定応答に対するイベント表示機能を実行する項目、
上位運営システムと仮想の知能型電子装備がデータセットが異なる場合にレポートを送信したときに上位運営システムの受信可否を確認する項目、および
上位運営システムが他の上位運営システムによって仮想の知能型電子装備の非バッファ型レポート制御ブロックが留保されたサーバに非バッファ型レポート制御ブロック値設定サービスであるＳｅｔＵＲＣＢＶａｌｕｅｓ（）サービスを要請して前記仮想の知能型電子装備の否定応答に対するイベント表示機能を実行する項目のうちの少なくとも１つの項目を含むことを特徴とする、請求項５に記載のレポート通信試験方法。
【請求項７】
前記レポートはバッファ型レポートを含み、前記送信したかを検証するステップにおいて、前記バッファ型レポートの通信サービスに対する検証項目は、前記非バッファ型レポート通信サービスに対する検証項目に加え、
クライアントがサーバのレポート送信に対する再接続以後にアイディ入力要請によってサーバのバッファ型レポートを受信して画面に表示するかを確認する項目、および
クライアントがサーバのバッファ型データをバッファ除去値をトゥルーに設定して削除する要請する項目のうちの少なくとも１つの項目をさらに含むことを特徴とする、請求項６に記載のレポート通信試験方法。
【発明の詳細な説明】
【技術分野】
【０００１】
本発明は変電自動化システムレポート通信試験装置およびその方法に関し、より詳しくは、変電自動化システム内の上位運営システムに対するＩＥＣ  ６１８５０基盤のレポート通信試験システムおよび方法に関する。
【背景技術】
【０００２】
変電自動化の国際技術標準がＩＥＣ  ６１８５０に制定された後、欧米を中心に多くの知能型電子装備（ＩＥＤ、Ｉｎｔｅｌｌｉｇｅｎｔ  Ｅｌｅｃｔｒｏｎｉｃ  Ｄｅｖｉｃｅ）が生じており、韓国の場合、２００５年から進行中である電力ＩＴ課題によって１５４ｋＶ変電所に適用が可能なＩＥＤ試作品の開発が完了した。
【０００３】
ＩＥＤにＩＥＣ  ６１８５０通信サービスを適用する場合、製造社はＩＥＣ  ６１８５０で定義する通信サービスをＩＥＤが規定に適合するように実現したかを試験する適合性試験を通過しなければならない。すなわち、ＩＥＤは、オランダに所在するＫＥＭＡのような国際認証機関によってＵＣＡ国際専門家グループ（ＵＣＡ  Ｉｎｔｅｒｎａｔｉｏｎａｌ  Ｕｓｅｒｓ  Ｇｒｏｕｐ）で制定した１４種のＩＥＣ  ６１８５０通信サービスの試験項目で構成された適合性認証を必須で受けなければならない。
【０００４】
ＩＥＣ  ６１８５０基盤の変電自動化システムは、既存の制御ケーブル（Ｈａｒｄ−ｗｉｒｅ）による１対１方式ではなく、イーサネット (登録商標)環境下でなされるサーバとクライアントのデジタル方式で情報交換がなされるという特徴を有している。
【０００５】
サーバとクライアント間のデータ交換はＩＥＣ  ６１８５０レポートサービスによってなされ、今までの変電自動化システムのサーバの役割をするＩＥＤに対するレポート通信サービスはＩＥＤ専用ツールと方法によって公式的な試験がなされているが、相手となるクライアントの役割をするヒューマンマシンインターフェース（ＨＭＩ：Ｈｕｍａｎ  Ｍａｃｈｉｎｅ  Ｉｎｔｅｒｆａｃｅ）を含む上位運営システムに対するレポート通信サービスに対する試験のための専用ツールと方法は存在せず、したがって、上位運営システムに対するレポート通信サービス試験は実行することができなかった。
【発明の概要】
【発明が解決しようとする課題】
【０００６】
本発明は上述した問題点を解決するために導き出されたものであって、変電自動化システム内の上位運営システムに対するレポート通信サービス試験装置およびその方法を提供することを目的とする。
【課題を解決するための手段】
【０００７】
上述した本発明の目的を達成するために、本発明の一実施形態に係るネットワークを介して仮想のＩＥＤと上位運営システムに連結されて前記上位運営システムに対するレポート通信を試験するためのレポート通信試験装置は、トラフィック分析器によって分析された上位運営システムと仮想のＩＥＤ間の通信データの分析結果を受信し、分析結果に基づいて仮想のＩＥＤに対する上位運営システムのレポート制御ブロック（ＲＣＢ、Ｒｅｐｏｒｔ  Ｃｏｎｔｒｏｌ  Ｂｌｏｃｋ）設定要請に対してＩＥＣ  ６１８５０標準に適合するかを検証する適合性検証部；仮想のＩＥＤが上位運営システムの抽象的通信サービスインターフェース（ＡＣＳＩ：Ａｂｓｔｒａｃｔ  Ｃｏｍｍｕｎｉｃａｔｉｏｎ  Ｓｅｒｖｉｃｅ  Ｉｎｔｅｒｆａｃｅ）のサービス要請に応答したかを確認および分析する応答分析部；仮想のＩＥＤによって発生したレポートがＩＥＣ  ６１８５０標準に適合するか、および発生したレポートを上位運営システムによるＲＣＢ設定要請に応じて送信したかを検証する送信検証部；および試験者が視覚的判断を記録し、条件を総合的に分析できるようにして上位運営システムのレポート性能を判断するレポート性能判断部を備える。
【０００８】
仮想のＩＥＤは、上位運営システムからのＲＣＢ設定要請に応答してレポートを発生させ、ＩＥＣ  ６１８５０  ＡＣＳＩサービス要請に対する通信応答を実行し、レポート発生のためのデータ値を周期的に変化させることができるシミュレーション機能を含むことができる。
【０００９】
レポートは非バッファ型（Ｕｎｂｕｆｆｅｒｅｄ）レポートであり、送信検証部の非バッファ型（Ｕｎｂｕｆｆｅｒｅｄ）レポートに対する検証項目は、上位運営システムが仮想のＩＥＤが有している非バッファ型レポート制御ブロック（ＵＲＣＢ、Ｕｎｂｕｆｆｅｒｅｄ  Ｒｅｐｏｒｔ  Ｃｏｎｔｒｏｌ  Ｂｌｏｃｋ）リストを非バッファ型レポート制御ブロック（ＵＲＣＢ）サービスの１つである論理ノードディレクトリ取得サービス（ＧｅｔＬｏｇｉｃａｌＮｏｄｅＤｉｒｅｃｔｏｒｙ（））によって要請する項目、仮想のＩＥＤの状態データ値とクォリティデータ値を変化させてレポートを発生させた後に上位運営システムがレポートを受信するかを確認する項目、上位運営システムが仮想のＩＥＤにＵＲＣＢサービスの１つとしてＵＲＣＢ値を設定するＵＲＣＢ設定サービス（ｓｅｔＵＲＣＢＶａｌｕｅｓ（））を用いて選択フィールド（Ｏｐｔｉｏｎａｌ  ｆｉｅｌｄｓ）を要請する項目、上位運営システムが仮想のＩＥＤにＳｅｔＵＲＣＢＶａｌｕｅｓ（）サービスを用いてトリガ条件（Ｔｒｉｇｇｅｒ  ｃｏｎｄｉｔｉｏｎ）に対する多様な組み合わせを要請した後にレポート確認する項目、上位運営システムが仮想のＩＥＤが送信するセグメントレポート（ｓｅｇｍｅｎｔｅｄ  ｒｅｐｏｒｔ）を受信して画面に表示するかを確認する項目、上位運営システムが仮想のＩＥＤにＳｅｔＵＲＣＢＶａｌｕｅｓ（）サービスを用いて仮想のＩＥＤに一般質問（ＧＩ、ｇｅｎｅｒａｌ  ｉｎｔｅｒｒｏｇａｔｉｏｎ）レポートトリガを要請した後にレポート確認する項目、上位運営システムが仮想のＩＥＤにない論理ノード（ＬＮ、ｌｏｇｉｃａｌ  ｎｏｄｅ）に対するＵＲＣＢ値取得サービス（ＧｅｔＵＲＣＢＶａｌｕｅｓ（））要請時に仮想のＩＥＤの否定応答に対するイベント表示機能を実行する項目、上位運営システムが仮想のＩＥＤのレポートが設定された状態で仮想のＩＥＤに選択フィールドとトリガ条件に対するＳｅｔＵＲＣＢＶａｌｕｅｓ（）サービスを要請してサーバの否定応答に対するイベント表示機能を実行する項目、上位運営システムが仮想のＩＥＤが支援しないトリガ条件に対するＳｅｔＵＲＣＢＶａｌｕｅｓ（）サービスを要請して仮想のＩＥＤの否定応答に対するイベント表示機能を実行する項目、上位運営システムが仮想のＩＥＤにない選択フィールドに対するＳｅｔＵＲＣＢＶａｌｕｅｓ（）サービスを要請して仮想のＩＥＤの否定応答に対するイベント表示機能を実行する項目、上位運営システムと仮想のＩＥＤがデータセットが異なる場合にレポートを送信したときに上位運営システムの受信可否、および上位運営システムが他の上位運営システムによって仮想のＩＥＤのＵＲＣＢが留保（ｒｅｓｅｒｖｅ）されたサーバにＳｅｔＵＲＣＢＶａｌｕｅｓ（）サービスを要請し、仮想のＩＥＤの否定応答に対するイベント表示機能を実行する項目のうちの少なくとも１つ以上を含むことができる。
【００１０】
レポートはバッファ型レポートを含み、送信検証部の前記バッファ型レポートに対する検証項目は、前記非バッファ型レポートに対する検証項目に加え、クライアントがサーバのレポート送信に対する再接続以降にアイディ（ＥｎｔｒｙＩＤ）入力要請によってサーバのバッファ型レポートを受信して画面に表示するかを確認する項目、およびクライアントがサーバのバッファ型データをバッファ除去値（ＰｒｕｇｅＢＦ）をトゥルー（Ｔｒｕｅ）として設定する削除要請する項目のうちの少なくとも１つの項目をさらに含むことができる。
【００１１】
本発明の他の実施形態に係るネットワークを介して連結された仮想のＩＥＤと上位運営システム間の通信において、上位運営システムに対するレポート通信を試験するためのレポート通信試験方法は、トラフィック分析器によって分析された上位運営システムと仮想のＩＥＤ間の通信データの分析結果に基づいて仮想のＩＥＤに対する上位運営システムのＲＣＢ設定要請に対してＩＥＣ  ６１８５０標準に適合するかを検証する適合性検証ステップ；仮想のＩＥＤが上位運営システムのＡＣＳＩサービス要請に応答したかを確認および分析するステップ；仮想のＩＥＤによって発生したレポートがＩＥＣ  ６１８５０標準に適合するか、および発生したレポートを上位運営システムによるＲＣＢ設定要請に応じて送信したかを検証するステップ；および試験者が視覚的判断を記録し、条件を総合的に分析できるようにして上位運営システムのレポート性能を判断するステップを含む。
【発明の効果】
【００１２】
上述した本発明の変電自動化システムレポート通信試験装置およびその方法により、ＩＥＣ  ６１８５０基盤の変電自動化システムにおいてクライアントの役割を実行する上位運営システムに対するレポート通信サービスを効果的に試験することができる。
【図面の簡単な説明】
【００１３】
【図１】本発明の一実施形態に係る変電自動化システムレポート通信試験装置が含まれた例示的な網構成図である。
【図２】本発明の一実施形態に係る仮想のＩＥＤと上位運営システム間の一例示的なレポート発生過程を概略的に示す図である。
【図３】本発明の一実施形態に係る変電自動化システムレポート通信試験装置の概略的なブロック図である。
【図４】本発明の一実施形態に係る変電自動化システムレポート通信試験方法を示すフローチャートである。
【発明を実施するための形態】
【００１４】
以下、同じ図面符号は同じ構成要素を参照とする、添付の図面を参照しながら本発明の好ましい実施形態について詳細に説明する。本明細書および特許請求の範囲に用いられた用語や単語は通常的あるいは辞書的な意味で限定されて解釈されてはならず、本発明の技術的事項に符合する意味と概念で解釈されなければならない。
【００１５】
本明細書に記載された実施形態と図面に示す構成は本発明の好ましい実施形態であり、本発明の技術的思想をすべて代弁するものではないため、本出願時点でこれを代替することができる多様な均等物と変形例が存在することがある。
【００１６】
また、本明細書全般において用いられた英文略語、プログラム命令語、およびその他の用語などは、変電自動化の国際技術標準であるＩＥＣ  ６１８５０標準に基づいたものであり得ることを理解しなければならない。
【００１７】
図１は、本発明の一実施形態に係る変電自動化システムレポート通信試験装置が含まれた例示的な網構成図である。
【００１８】
図１を参照すれば、本発明の一実施形態に係るレポート通信試験装置１は、ネットワーク２を介して視覚同期装置３、トラフィック分析器４、複数の仮想のＩＥＤ５、および被試験機器である上位運営システム６に連結される。
【００１９】
前記レポート通信試験装置１は被試験機器である上位運営システム６に対するレポート送信を試験する装置であり、これについてのより詳しい説明は図３を参照しながら後述する。
【００２０】
前記視覚同期装置３は本網構成図に含まれたエレメント（ｅｌｅｍｅｎｔ）、すなわち、レポート通信試験装置１、トラフィック分析器４、仮想のＩＥＤ５、および上位運営システム６などの動作に対する相互同期を合わせるためのものであり、所定のクロック信号を発生させ、発生したクロック信号に応じてそれぞれのエレメントの相互同期を合わせることができる。
【００２１】
トラフィック分析器４は、ネットワーク２を介して通信するデータトラフィック量を分析し、試験者がデータトラフィックを効果的に管理できるようにする。特に、トラフィック分析器４は、上位運営システム６と仮想のＩＥＤ５間の通信データを分析することができる。
【００２２】
仮想のＩＥＤ５は図に示すように複数で提供されることができ、上位運営システム６の要請に応答してレポートを送信する。仮想のＩＥＤ５はバッファ型（Ｂｕｆｆｅｒｅｄ）レポートおよび非バッファ型（Ｕｎｂｕｆｆｅｒｅｄ）レポートを送信することができる。また、仮想のＩＥＤ５は、バッファ型（Ｂｕｆｆｅｒｅｄ）レポートおよび非バッファ型（Ｕｎｂｕｆｆｅｒｅｄ）レポート送信のための状態データおよびクォリティデータで構成されたデータセットを含むＩＣＤ（ＩＥＤ  Ｃａｐａｂｉｌｉｔｙ  Ｄｅｓｃｒｉｐｔｉｏｎ）を含むことができる。
【００２３】
図２は、本発明の一実施形態に係る仮想のＩＥＤと上位運営システム間の一例示的なレポート発生過程を概略的に示す図である。
【００２４】
図２を参照すれば、先ず、上位運営システム６が仮想のＩＥＤ５にＲＣＢ（Ｒｅｐｏｒｔ  Ｃｏｎｔｒｏｌ  Ｂｌｏｃｋ）設定要請をすれば、仮想のＩＥＤ５はこれに応答してＩＥＣ  ６１８５０抽象的通信サービスインターフェース（ＡＣＳＩ、Ａｂｓｔｒａｃｔ  Ｃｏｍｍｕｎｉｃａｔｉｏｎ  Ｓｅｒｖｉｃｅ  Ｉｎｔｅｒｆａｃｅ）に該当する論理ノードディレクトリ取得サービスであるＧｅｔＬｏｇｉｃａｌＮｏｄｅＤｉｒｅｃｔｏｒｙ（）、ＵＲＣＢ（Ｕｎｂｕｆｆｅｒｅｄ  ＲＣＢ）値設定サービスであるＳｅｔＵＲＣＢＶａｌｕｅｓ（）、ＢＲＣＢ（Ｂｕｆｆｅｒｅｄ  ＲＣＢ）値設定サービスであるＳｅｔＢＲＣＢＶａｌｕｅｓ（）サービスに対する通信応答を実行してレポートを発生させる。
【００２５】
前記仮想のＩＥＤ５は、レポート発生のためのデータ値を周期的に変化させることができるシミュレーション機能をさらに含む。
【００２６】
図３は、本発明の一実施形態に係る変電自動化システムレポート通信試験装置の概略的なブロック図である。
【００２７】
図３を参照すれば、本発明の一実施形態に係るレポート通信試験装置１は、適合性検証部１０、応答分析部２０、送信検証部３０、およびレポート性能判断部４０を備える。
【００２８】
適合性検証部１０は、トラフィック分析器４によって分析された上位運営システム６と仮想のＩＥＤ５間の通信データの分析結果を受信し、その分析結果に基づいて仮想のＩＥＤ５に対する上位運営システム６のレポート制御ブロック（ＲＣＢ、Ｒｅｐｏｒｔ  Ｃｏｎｔｒｏｌ  Ｂｌｏｃｋ）設定要請がＩＥＣ  ６１８５０標準に適合するかを検証する。
【００２９】
応答分析部２０は、仮想のＩＥＤ５が上位運営システム６のレポート制御ブロック設定要請を含むＡＣＳＩサービス要請に応答したかを確認および分析する。
【００３０】
送信検証部３０は、上位運営システム６のレポート制御ブロック設定要請に対応して仮想のＩＥＤ５によって発生したレポートがＩＥＣ  ６１８５０標準に適合するか、および発生したレポートを上位運営システム６によるＲＣＢ設定要請に応じて送信したかを検証する。
【００３１】
レポート性能判断部４０は、試験者が視覚的判断を記録し、条件を総合的に分析できるようにして上位運営システム６のレポート性能を判断する。
【００３２】
以下、本発明の一実施形態に係る変電自動化システムレポート通信試験方法の一例を図４を参照しながら説明する。
【００３３】
図４は、本発明の一実施形態に係る変電自動化システムレポート通信試験方法を示すフローチャートである。
【００３４】
図４を参照すれば、先ず、前記適合性検証部１０は、トラフィック分析器４によって分析された上位運営システム６と仮想のＩＥＤ５間の通信データの分析結果を受信し（Ｓ１０）、その分析結果に基づいて仮想のＩＥＤ５に対する上位運営システム６のＲＣＢ設定要請がＩＥＣ  ６１８５０標準に適合するかを検証する（Ｓ２０）。
【００３５】
次に、応答分析部２０は、仮想のＩＥＤ５が上位運営システム６のレポート制御ブロック設定要請を含むＡＣＳＩサービス要請に応答したかを確認および分析する（Ｓ３０）。
【００３６】
この後、送信検証部３０は、上位運営システム６のレポート制御ブロック設定要請に対応して仮想のＩＥＤ５によって発生したレポートがＩＥＣ  ６１８５０標準に適合するか、および前記発生されたレポートを上位運営システム６によるＲＣＢ設定要請に応じて送信したかを検証する（Ｓ４０）。
【００３７】
最後に、前記レポート性能判断部４０は、試験者が視覚的判断を記録し、条件を総合的に分析できるようにして上位運営システム６のレポート性能を判断する（Ｓ５０）。
【００３８】
以下、Ｓ４０ステップについてより詳細に説明する。
【００３９】
上位運営システム６のＩＥＣ  ６１８５０通信サービスにおいて変電自動化システム、特に、仮想のＩＥＤ５の最も重要な機能のうちの１つは、サーバとして機能する仮想のＩＥＤ５とクライアントとして機能する上位運営システム６間の状態データを含むデータの送信に対するレポーティング機能である。
【００４０】
仮想のＩＥＤ５のレポーティング機能において、ＩＥＣ  ６１８５０では、格納されたレポートに対し、仮想のＩＥＤ５と上位運営システム６間の連結解除後の格納有無に応じてレポートを非バッファ型（Ｕｎｂｕｆｆｅｒｅｄ）レポートとバッファ型（Ｂｕｆｆｅｒｅｄ）レポートに分けている。
【００４１】
上位運営システム６のレポート通信サービスに対する試験は、図２に示すように、上位運営システム６のＲＣＢ設定要請に応じて仮想のＩＥＤ５がレポート制御ブロック設定要請を含むＡＣＳＩサービス要請に対する応答およびレポートをＩＥＣ  ６１８５０標準に応じて送信するか否か、および仮想のＩＥＤ５が送信したＡＣＳＩサービス要請に対する応答とレポートに対してＩＥＣ  ６１８５０標準に適合するか否かを試験することでなされる。
【００４２】
上位運営システム６に対するレポート通信サービスの適合性試験過程と仮想のＩＥＤ５に対するレポート通信サービスの適合性試験過程の最大の差のうちの１つは、上位運営システム６が試験者に見せるグラフィックユーザインターフェース（ＧＵＩ、Ｇｒａｐｈｉｃａｌ  Ｕｓｅｒ  Ｉｎｔｅｒｆａｃｅ）の機能が製造社別に異なるため、ＩＥＣ  ６１８５０標準以外の動作を定義する試験用プロトコル実装補助情報（ＰＩＸＩＴ、Ｐｒｏｔｏｃｏｌ  Ｉｍｐｌｅｍｅｎｔａｔｉｏｎ  Ｅｘｔｒａ  Ｉｎｆｏｒｍａｔｉｏｎ）文書を広く活用するという点である。
【００４３】
下記の表１は、本発明の一実施形態に係る変電自動化システムレポート通信試験方法が提示する変電自動化システム内の上位運営システム６に対する非バッファ型（Ｕｎｂｕｆｆｅｒｅｄ）レポート通信サービスに対する試験項目を示す。
【００４４】
【表１】
2011041455.tif 000003
【００４５】
前記表１を説明すれば、非バッファ型レポート通信サービスに対する検証項目は、次のうちの１つ以上の項目を含むことができる。
【００４６】
１．上位運営システム６が仮想のＩＥＤ５が有している非バッファ型レポート制御ブロック（ＵＲＣＢ、Ｕｎｂｕｆｆｅｒｅｄ  Ｒｅｐｏｒｔ  Ｃｏｎｔｒｏｌ  Ｂｌｏｃｋ）リストをＵＲＣＢサービスの１つであるＧｅｔＬｏｇｉｃａｌＮｏｄｅＤｉｒｅｃｔｏｒｙ（）サービスによって要請する項目（ｃＲｐ１試験項目に該当する。）
２．仮想のＩＥＤ５の状態データ値とクォリティデータ値を変化させてレポートを発生させた後に上位運営システム６がレポートを受信するかを確認する項目（ｃＲｐ２試験項目に該当する。）
３．上位運営システム６が仮想のＩＥＤ５にＵＲＣＢ設定サービスである非バッファ型レポート制御ブロック値設定（ＳｅｔＵＲＣＢＶａｌｕｅｓ（））サービスを用いて選択フィールド（Ｏｐｔｉｏｎａｌ  ｆｉｅｌｄｓ）（系列番号（ｓｅｑｕｅｎｃｅ−ｎｕｍｂｅｒ）、レポートタイムスタンプ（ｒｅｐｏｒｔ−ｔｉｍｅ−ｓｔａｍｐ）、含有理由（ｒｅａｓｏｎ−ｆｏｒ−ｉｎｃｌｕｓｉｏｎ）、データ集合名（ｄａｔａｓｅｔ−ｎａｍｅ）、データレファレンス（ｄａｔａｒｅｆｅｒｅｎｃｅ）、コンフレブ（ｃｏｎｆ−Ｒｅｖ））を要請する項目（ｃＲｐ３試験項目に該当する。）
４．上位運営システム６が仮想のＩＥＤ５にＳｅｔＵＲＣＢＶａｌｕｅｓ（）サービスを用いてトリガ条件（Ｔｒｉｇｇｅｒ  ｃｏｎｄｉｔｉｏｎ）（データ変換（ｄａｔａｃｈａｎｇｅ）、クォリティ変換（ｑｕａｌｉｔｙｃｈａｎｇｅ）、整合性（Ｉｎｔｅｇｒｉｔｙ））に対する多様な組み合わせを要請した後にレポートを確認する項目（ｃＲｐ４試験項目に該当する。）
５．上位運営システム６が仮想のＩＥＤ５が送信するセグメントレポート（ｓｅｇｍｅｎｔｅｄ  ｒｅｐｏｒｔ）を受信して画面に表示するかを確認する項目（ｃＲｐ５試験項目に該当する。）
６．上位運営システム６が仮想のＩＥＤ５にＳｅｔＵＲＣＢＶａｌｕｅｓ（）サービスを用いて仮想のＩＥＤ５に一般質問（ＧＩ、ｇｅｎｅｒａｌ  ｉｎｔｅｒｒｏｇａｔｉｏｎ）レポートトリガを要請した後にレポートを確認する項目（ｃＲｐ６試験項目に該当する。）
７．上位運営システム６が仮想のＩＥＤ５にない論理ノード（ＬＮ、ｌｏｇｉｃａｌ  ｎｏｄｅ）に対する非バッファ型レポート制御ブロック値取得（ＧｅｔＵＲＣＢＶａｌｕｅｓ（））サービス要請時に仮想のＩＥＤ５の否定応答に対するイベント表示機能を実行する項目（ｃＲｐＮ１試験項目に該当する。）
８．上位運営システム６が仮想のＩＥＤ５のレポートが設定された状態（レポート設定値であるＲｐｔＥｎがトゥルー（ｔｒｕｅ）に設定される）で仮想のＩＥＤ５に選択フィールドとトリガ条件に対するＳｅｔＵＲＣＢＶａｌｕｅｓ（）サービスを要請してサーバの否定応答に対するイベント表示機能を実行する項目（ｃＲｐＮ２試験項目に該当する。）
９．上位運営システム６が仮想のＩＥＤ５が支援しないトリガ条件に対するＳｅｔＵＲＣＢＶａｌｕｅｓ（）サービスを要請して仮想のＩＥＤ５の否定応答に対するイベント表示機能を実行する項目（ｃＲｐＮ３試験項目に該当する。）
１０．上位運営システム６が仮想のＩＥＤ５にない選択フィールドに対するＳｅｔＵＲＣＢＶａｌｕｅｓ（）サービスを要請して仮想のＩＥＤ５の否定応答に対するイベント表示機能を実行する項目（ｃＲｐＮ４試験項目に該当する。）
１１．上位運営システム６と仮想のＩＥＤ５がデータセットが異なる場合にレポートを送信したときに上位運営システム６の受信可否を確認する項目（ｃＲｐＮ５試験項目に該当する。）
１２．上位運営システム６が他の上位運営システム６によって仮想のＩＥＤ５のＵＲＣＢが留保（ｒｅｓｅｒｖｅ）されたサーバにＳｅｔＵＲＣＢＶａｌｕｅｓ（）サービスを要請して仮想のＩＥＤ５の否定応答に対するイベント表示機能を実行する項目（ｃＲｐＮ６試験項目に該当する。）
下記の表２は、本発明で提示する非バッファ型レポートに対する試験項目のうち、ｃＲｐ５陽性試験に対する試験手順テンプレート（ｔｅｍｐｌａｔｅ）を用いた詳細試験手順を示す。
【００４７】
【表２】
2011041455.tif 000004
【００４８】
下記の表３は、本発明の一実施形態に係る変電自動化システムレポート通信試験方法が提示する変電自動化システム内の上位運営システム６に対するバッファ型レポート通信サービスに対する検証項目を示す。
【００４９】
【表３】
2011041455.tif 000005
【００５０】
前記の表３を説明すれば、バッファ型レポート通信サービスに対する検証項目には上述した変電自動化上位運営システム６のＩＥＣ  ６１８５０の非バッファ型レポート通信サービスに対する検証項目を含み、以下の項目をさらに含むことができる。
【００５１】
１．クライアントに機能する上位運営システム６がサーバとして機能する仮想のＩＥＤ５のレポート送信に対する再接続後にアイディ（ＥｎｔｒｙＩＤ）入力要請によって仮想のＩＥＤ５のバッファ型レポートを受信して画面に表示するかを確認（ｃＢｒ７試験項目に該当する。）
２．上位運営システム６が仮想のＩＥＤ５のバッファ型データをバッファ除去値（ＰｕｒｇｅＢＦ）をトゥルー（Ｔｒｕｅ）に設定して削除要請（ｃＢｒ８試験項目に該当する。）
以上、本発明に対する技術思想を添付の図面を参照しながら詳述したが、これは本発明の好ましい実施形態を例示的に説明したものであり、本発明を限定するものではない。また、この技術分野の通常の知識を有する者であれば誰も、本発明の技術思想の範疇を逸脱しない範囲内で多様な変形および模倣が可能であることは明白な事実である。
【符号の説明】
【００５２】
１  ・・・レポート通信試験装置
２  ・・・ネットワーク
３  ・・・視覚同期装置
４  ・・・トラフィック分析器
５  ・・・仮想のＩＥＤ
６  ・・・上位運営システム
１０  ・・・適合性検証部
２０  ・・・応答分析部
３０  ・・・送信検証部
４０  ・・・レポート性能判断部
【図１】
2011041455.tif 000006
【図２】
2011041455.tif 000007
【図３】
2011041455.tif 000008
【図４】
2011041455.tif 000009